(57)【要約】【課題】  小径振動板の小型スピーカであっても、再生周波数帯域が広く取れ、大入力にも耐え、かつ、信頼性の高い小型のスピーカを提供する。【解決手段】  磁気回路５、振動板２、ダンパー３およびボイスコイル４で構成され、前記ダンパー３の外周端は、前記ボイスコイル４を形成するボイスコイルボビン１０の内周面に固定され、前記ダンパー３のセンター部は、前記磁気回路５のセンター部上に固定されたスピーカ１であって、前記ダンパー３は、その中心部に透孔３３が設けられ、この透孔３３を利用してダンパー３を、前記磁気回路５上に固定する。【選択図】      図１
2006211469.tif 000002
【特許請求の範囲】
【請求項１】
磁気回路、振動板、ダンパーおよびボイスコイルで構成され、前記ダンパーの外周端は前記ボイスコイルを形成するボイスコイルボビンの内周面に固定され、前記ダンパーのセンター部は前記磁気回路のセンター部上に固定されたスピーカにあって、
前記ダンパーは、その中心部に透孔が設けられたもので、この透孔を利用してダンパーが前記磁気回路上に固定されていること
を特徴とするスピーカ。
【請求項２】
前記ダンパーは、
センター部の裏面を下方に延出させて有底筒状の固定部を形成するとともに、この固定部の底面部に透孔を形成したもので、この固定部を磁気回路に設けられたダンパーホルダを用いて、もしくは磁気回路とは別に製作されたダンパーホルダを用いて、前記磁気回路のセンター部上に固定すること
を特徴とする請求項１に記載のスピーカ。
【請求項３】
前記磁気回路は、
そのセンター部上に、ダンパーホルダが設けられていること
を特徴とする請求項２に記載のスピーカ。
【請求項４】
前記ダンパーホルダは、
前記磁気回路を構成する上部プレート上に形成された凹状部であること
を特徴とする請求項３に記載のスピーカ。
【請求項５】
前記ダンパーホルダは、
前記磁気回路を構成する上部プレート上に形成された貫通孔であること
を特徴とする請求項３に記載のスピーカ。
【請求項６】
前記ダンパーホルダは、
前記磁気回路を構成する上部プレート上に形成されたリング状の突出部であること
を特徴とする請求項３に記載のスピーカ。
【請求項７】
前記ダンパーホルダは、
前記磁気回路を構成する上部プレート上に設けられた別製のリングであること
を特徴とする請求項３に記載のスピーカ。
【請求項８】
前記ダンパーホルダは、
前記磁気回路を構成する上部プレート上に設けられた別製の合成樹脂製のカップであること
を特徴とする請求項３に記載のスピーカ。
【請求項９】
前記ダンパーホルダは、
前記磁気回路を構成する上部プレート上に設けられた、内底面上に突起部を有する別製の合成樹脂製のカップであること
を特徴とする請求項３に記載のスピーカ。
【請求項１０】
前記ダンパーホルダは、
ボルトからなるもので、前記ダンパーに形成された透孔を貫通し、その一部を前記磁気回路の上部プレートに係着させて、ダンパーを磁気回路に保持すること
を特徴とする請求項３に記載のスピーカ。
【請求項１１】
前記ダンパーは、
中心部に透孔を有する側面が平板状のもので、円盤状のホルダ主体と、上面に設けられたネジ杆からなる支柱と、この支柱に外装するスペーサおよびナットからなるダンパーホルダによって、磁気回路上に固定されること
を特徴とする請求項１に記載のスピーカ。
【請求項１２】
前記ダンパーは、
中心部に透孔を有する側面が平板状のもので、前記磁気回路を構成する上部プレートと係着するネジ杆からなる支柱と、この支柱に外装するスペーサおよびナットからなるダンパーホルダによって、磁気回路上に固定されること
を特徴とする請求項１に記載のスピーカ。
【請求項１３】
前記ダンパーは、
中心部に透孔を有する側面が平板状のもので、上部に前記ダンパーの受部を有し、基端部が前記磁気回路を構成する上部プレートと係着するネジ杆からなる支柱と、ナットからなるダンパーホルダよって磁気回路上に固定されること
を特徴とする請求項１に記載のスピーカ。
【請求項１４】
前記ダンパーは、
中心部に透孔を有する側面が平板状のもので、上部に前記ダンパーの受部を有し、基端部が前記磁気回路を構成する上部プレートと係着するネジ杆からなる支柱とからなるダンパーホルダよって、磁気回路上に固定されること
を特徴とする請求項１に記載のスピーカ。
【請求項１５】
前記ダンパーは、
中心部に透孔を有する側面が平板状のもので、上部に前記透孔の周辺との確実な接着面積を有する合成樹脂製の支柱からなるダンパーホルダよって、磁気回路上に固定されること
を特徴とする請求項１に記載のスピーカ。
【請求項１６】
前記ダンパーは、
中心部に透孔を有する側面が平板状のもので、先端部に段部を介して小径の突起部を形成した合成樹脂製の支柱からなるダンパーホルダよって、磁気回路上に固定されること
を特徴とする請求項１に記載のスピーカ。
【請求項１７】
前記ダンパーは、
中心部に透孔を有する側面が平板状のもので、先端部に段部を介して小径の突起部を形成し、基端部に台座を有する合成樹脂製の支柱からなるダンパーホルダよって、磁気回路上に固定されること
を特徴とする請求項１に記載のスピーカ。
【発明の詳細な説明】
【技術分野】
【０００１】
この発明は、各種の音響機器に使用されるスピーカ、より具体的には、小型スピーカに関するものである。
【背景技術】
【０００２】
音響機器の小型化に際しては、スピーカの小型化が必要とされ、必然的に振動板の小径化が望まれている。しかしながら、振動板の径を小さくするに従い、ボイスコイルを磁気回路の磁気ギャップ内に保持するため、内周端をボイスコイルボビンの外周に固定しているダンパーの外径も当然小さくせざるを得ない。しかし、そのままダンパーの外径を小さくしたのでは、ダンパーのスティフネスが大きくなることから、スピーカの最低共振周波数が大きくなり、再生帯域が狭くなるという問題が発生する。
【０００３】
そこで、前記の問題解決の方策として、ダンパーの外周部をボイスコイルボビンの内周部分へ、ダンパーのセンター部を磁気回路のセンター部へそれぞれ固定することで、ボイスコイルボビンの内部にダンパーを設ける構成とし、ダンパーのスティフネスが大きくならないようにした小型スピーカが実用化されている。
【０００４】
たとえば、特開２００４−２２１６９１号公報（特許文献１）においては、
ドーム振動板と、ボイスコイルボビンと、ダンパーと、磁気回路とを備え、前記ドーム振動板が、ドーム部の外周端からボイスコイルボビンの円筒内面に沿って延設された第１固定部と、該第１固定部の外周端から略直角に延設された第２固定部を有し、前記ダンパーが、ボイスコイルボビンが規定する空間の内部に配されるとともに、ダンパーの内周端が、前記磁気回路に固定され、ダンパーの外周端が、前記ドーム部の外周端およびボイスコイルボビンの円筒内面に接合されるスピーカが提案されている。
【０００５】
また、特開平５−３０５９７号公報（特許文献２）では、磁気回路のセンターポールの上端に、垂直に固定したシャフトの軸方向に移動可能なスリーブと、第２のサスペンションよりなるスライダーをボイスコイルの内部に設けることによって、ボイスコイルとスライダーのシャフトとの接触部の長さを長くし、ローリングを防ぐことにより音圧周波数特性の乱れを防止するスピーカユニットが提案されている。
【特許文献１】特開２００４−２２１６９１号公報（特許請求の範囲、図１）
【特許文献２】特開平  ５−３０５９７号公報（特許請求の範囲）
【発明の開示】
【発明が解決しようとする課題】
【０００６】
しかしながら、従来のボイスコイルの内部にダンパーを設けた小型のスピーカは、ダンパーと磁気回路との固定する面積が制約され、少ない固定面積ではダンパーと磁気回路との固定が不安定となって上下の振幅を強固に保持できない。また、ダンパーと磁気回路との固定が不十分となることで、大入力時には振動系がローリング現象を起こし、磁気ギャップとボイスコイルの接触によるコイルの破損が発生したリ、異常音が発生するという課題がある。
【０００７】
たとえば、前記の特許文献１は、ダンパーがボイスコイルの規定する空間の内部に配置され、ダンパーの内周端を、磁気回路に固定するスピーカ構造を図1で開示しているが、本願の図１４に示すように、ダンパー３と磁気回路５との接着面積（Ｗ１）を大きく取ると、接着強度が増してローリング現象は無くなるが、ダンパー３として機能するのに必要な面積が減少し、ダンパー３の振幅が大きく取れない形状となることから、ダンパー３のスティフネスが大きくなり、再生周波数帯域が狭くなってしまうおそれがある。
【０００８】
また、反対に図１５に示すように、ダンパー３と磁気回路５との接着面積（Ｗ２）を小さくすると、ダンパー３の振幅は大きく取れるが、接着強度が弱くなり、上記のように振動系がローリング現象を起こし、大入力に対する信頼性が劣る。
【０００９】
この発明はかかる問題点に鑑み、小径振動板の小型スピーカであっても、再生周波数帯域が広く取れ、大入力にも耐え、かつ、信頼性の高い小型のスピーカを提供するものである。
【課題を解決するための手段】
【００１０】
前記の目的を達成するため、この発明の請求項１に記載の発明は、
磁気回路、振動板、ダンパーおよびボイスコイルで構成され、前記ダンパーの外周端は前記ボイスコイルを形成するボイスコイルボビンの内周面に固定され、前記ダンパーのセンター部は、前記磁気回路のセンター部上に固定されたスピーカにあって、
前記ダンパーは、その中心部に透孔が設けられたもので、この透孔を利用してダンパーが前記磁気回路上に固定されていること
を特徴とするスピーカである。
【００１１】
また、請求項２に記載の発明は、
請求項１に記載のスピーカにおいて、
前記ダンパーは、
センター部の裏面を下方に延出させて有底筒状の固定部を形成するとともに、この固定部の底面部中央に透孔を形成したもので、この固定部を磁気回路に設けられたダンパーホルダを用いて、もしくは磁気回路とは別に製作されたダンパーホルダを用いて、前記磁気回路のセンター部上に固定すること
を特徴とするものである。
【００１２】
また、請求項３に記載の発明は、
請求項２に記載の発明において、
前記磁気回路は、
そのセンター部上に、ダンパーホルダが設けられていること
を特徴とするものである。
【００１３】
また、請求項４に記載の発明は、
請求項３に記載の発明において、
前記ダンパーホルダは、
前記磁気回路を構成する上部プレート上に形成された凹状部であること
を特徴とするものである。
【００１４】
また、請求項５に記載の発明は、
請求項３に記載の発明において、
前記ダンパーホルダは、
前記磁気回路を構成する上部プレート上に形成された貫通孔であること
を特徴とするものである。
【００１５】
また、請求項６に記載の発明は、
請求項３に記載の発明において、
前記ダンパーホルダは、
前記磁気回路を構成する上部プレート上に形成されたリング状の突出部であること
を特徴とするものである。
【００１６】
また、請求項７に記載の発明は、
請求項３に記載の発明において、
前記ダンパーホルダは、
前記磁気回路を構成する上部プレート上に設けられた別製のリングであること
を特徴とするものである。
【００１７】
また、請求項８に記載の発明は、
請求項３に記載の発明において、
前記ダンパーホルダは、
前記磁気回路を構成する上部プレート上に設けられた別製の合成樹脂製のカップであること
を特徴とするものである。
【００１８】
また、請求項９に記載の発明は、
請求項３に記載の発明において、
前記ダンパーホルダは、
前記磁気回路を構成する上部プレート上に設けられた、内底面上に突起部を有する別製の合成樹脂製のカップであること
を特徴とするものである。
【００１９】
また、請求項１０に記載の発明は、
請求項３に記載の発明において、
前記ダンパーホルダは、
ボルトからなるもので、前記ダンパーに形成された透孔を貫通し、その一部を前記磁気回路の上部プレートに係着させて、ダンパーを磁気回路に保持すること
を特徴とするものである。
【００２０】
また、請求項１１に記載の発明は、
請求項１に記載のスピーカにおいて、
前記ダンパーは、
中心部に透孔を有する側面が平板状のもので、円盤状のホルダ主体と、上面に設けられたネジ杆からなる支柱と、この支柱に外装するスペーサおよびナットからなるダンパーホルダによって、磁気回路上に固定されること
を特徴とするものである。
【００２１】
また、請求項１２に記載の発明は、
請求項１に記載のスピーカにおいて、
前記ダンパーは、
中心部に透孔を有する側面が平板状のもので、前記磁気回路を構成する上部プレートと係着するネジ杆からなる支柱と、この支柱に外装するスペーサおよびナットからなるダンパーホルダによって、磁気回路上に固定されること
を特徴とするものである。
【００２２】
また、請求項１３に記載の発明は、
請求項１に記載のスピーカにおいて、
前記ダンパーは、
中心部に透孔を有する側面が平板状のもので、上部に前記ダンパーの受部を有し、基端部が前記磁気回路を構成する上部プレートと係着するネジ杆からなる支柱と、ナットからなるダンパーホルダよって磁気回路上に固定されること
を特徴とするものである。
【００２３】
また、請求項１４に記載の発明は、
請求項１に記載のスピーカにおいて、
前記ダンパーは、
中心部に透孔を有する側面が平板状のもので、上部に前記ダンパーの受部を有し、基端部が前記磁気回路を構成する上部プレートと係着するネジ杆からなる支柱とからなるダンパーホルダよって、磁気回路上に固定されること
を特徴とするものである。
【００２４】
また、請求項１５に記載の発明は、
請求項１に記載のスピーカにおいて、
前記ダンパーは、
中心部に透孔を有する側面が平板状のもので、上部に前記透孔の周辺との確実な接着面積を有する合成樹脂製の支柱からなるダンパーホルダよって、磁気回路上に固定されること
を特徴とするものである。
【００２５】
また、請求項１６に記載の発明は、
請求項１に記載のスピーカにおいて、
前記ダンパーは、
中心部に透孔を有する側面が平板状のもので、先端部に段部を介して小径の突起部を形成した合成樹脂製の支柱からなるダンパーホルダよって、磁気回路上に固定されること
を特徴とするものである。
【００２６】
また、請求項１７に記載の発明は、
請求項１に記載のスピーカにおいて、
前記ダンパーは、
中心部に透孔を有する側面が平板状のもので、先端部に段部を介して小径の突起部を形成し、基端部に台座を有する合成樹脂製の支柱からなるダンパーホルダよって、磁気回路上に固定されること
を特徴とするものである。
【発明の効果】
【００２７】
この発明のスピーカは、ダンパーの中心部に透孔が形成されたもので、この透孔を利用してダンパーを、磁気回路に直接形成されたダンパーホルダを利用して、もしくは別体で作製したダンパーホルダを利用して磁気回路に固定するもので、ダンパーを強固に磁気回路の固定できるため、ボイスコイル径の小さいものでも、ダンパーのスティフネスが大きくならないための有効必要径が確保でき、小型化対応が可能なものである
【００２８】
特に、この発明においては、下面に下方に延出する有底円筒状の固定部を設けるとともに、底面部に透孔を形成したダンパーを使用すれば、前記磁気回路のダンパーホルダ内に設けられた接着剤が、固定部の内外に浸透しダンパーと磁気回路をより強固に接着固定することができ、かつダンパーホルダによって接着剤の周囲への広がりが制御され、接着作業が安定し品質が安定する。
【００２９】
また、磁気回路を構成する上部プレート上に、合成樹脂製の別製のリングもしくはカップからなるダンパーホルダを設けることによって、各種の径のダンパーに対応してダンパーホルダを取り替えることができ、上部プレートを各種の径のダンパーでの共通部品とすることができ、生産効率が上げられる。
【００３０】
また、ダンパー振動部の下部隙間寸法としてダンパーが振動した場合、ダンパーが当たらない大きさを必要とするが、カップからなるダンパーホルダを使用すれば、ダンパー振動部の下部にリング相当個所が存在しないよう外径を小さくすることで可能となり、ダンパー振動部の下部隙間寸法がリングからなるダンパーホルダを使用した場合より大きく取れことで、より薄型化が可能となる。
【００３１】
また、ダンパーを磁気回路に固定するダンパーホルダとして、ダンパーホルダを合成樹脂で形成し、ダンパーを溶着固定することによって、ダンパーの固定が接着剤を使用する場合より容易になり、作業効率を上げることができる。
【００３２】
また、ダンパーとして、中心部に透孔を有する平板状のものを使用し、このダンパーを支柱からなるダンパーホルダで固定することで、ダンパーの固定に必要なダンパーセンター部の面積を小さくすることができ、ボイスコイル径のかなり小さいものでも、ダンパーのスティフネスを大きくすることなく対応可能である。
加えて、支柱を使用した場合、ダンパーを特殊な形状にする必要がなく、平坦な形状でよいことから、ダンパーの製作が容易になり、使用される金型作製も簡易となる。
【００３３】
また、中央に貫通孔を有するスペーサに支柱を通し、支柱の上部にネジ部を設け、スペーサとナットで、前記ダンパーのセンター部を挟持することで、ダンパーが支柱に固定され、ダンパーの固定が接着剤を使用する場合より容易になり、作業効率を上げることができる。
【００３４】
また、支柱を樹脂で形成し、ダンパーのセンター部と支柱とを溶着で固定する構造とすることで、ダンパーの固定が接着剤を使用する場合より容易になり、作業効率を上げることができる。
【００３５】
また、ボルトによりダンパーと磁気回路とを固定することで、固定作業の効率を上げることができる。
【００３６】
さらに、この発明においては、前記の各種構成のいずれかを採用することによって、ダンパーのスティフネスを大きくすることなく、ダンパーと磁気回路とが強固に固定されることから、小径振動板の小型スピーカであっても、再生周波数帯域が広く取れ且つ、大入力時の振動系におけるローリング現象の発生を防止することができる。
【発明を実施するための最良の形態】
【００３７】
以下、この発明にかかるスピーカの実施の形態を、添付の図面に基づいて具体的に説明するが、この発明の要旨を変更しない範囲内で種々変更が可能なもので、開示される実施の形態にのみ限定されるものではない。なお、図面上同一部分には、同一番号を付して説明を省略し、相違点について説明する。
【００３８】
この発明のスピーカ１は、図１に示すように、ドーム状の振動板２、ダンパー３、ボイスコイル４による振動系とそれを支えるフレーム９と、ポールピース６、マグネット７、ポットヨーク８よりなる磁気回路５とから構成されるものである。
なお、図示のスピーカにおける磁気回路５は内磁型であるが、外磁型にも適用可能であるので、爾後、前記ポールピース６を、上部プレート６と称する。
【００３９】
前記構成のスピーカ１において、前記ダンパー３は、センター部の一部を下方に延出させて有底円筒状の固定部３１を一体的に形成するとともに、その底面部３２に透孔３３を形成したもので、その外周部をボイスコイル４が捲回されたボイスコイルボビン１０の内周面に、また、前記固定部３１の底面部３２を直接的又は間接的に上部プレート６の上面中央部に、それぞれ接着固定したものである。
なお、図１〜図７に示されるダンパー３は、いずれも同一形態のものである。
【００４０】
まず、上部プレート６の上面中央部に直接的にダンパー３を接着固定する手段を、具体的に説明すると、図２に示すように、前記上部プレート６の上面中央部に、浅い凹部のダンパーホルダＨを形成するとともに、このダンパーホルダＨ内に所要量の接着剤Ｇを塗布しておき、前記ダンパー３の底面部３２を、前記ダンパーホルダＨ内に圧入すれば、接着剤Ｇの一部が溢れ出し、底面部３２と上部プレート６間に拡がるとともに、その一部は、透孔３３を通じて固定部３１内に入り込む。したがって、その状態で接着剤Ｇを硬化させることで、ダンパー３が磁気回路５を構成する上部プレート６の中心部に強固に固定されるものである。
【００４１】
なお、前記接着剤溜りを兼ねるダンパーホルダＨの形態は、前記の形状に限定されるものではなく、たとえば、図３（ａ）に示すように、上部プレート６の中心部を貫通する所要径の貫通孔であっても、図３（ｂ）のようにリング状の突出部であってもよい。
【００４２】
また、ダンパー３を間接的に上部プレート６の上面中央部に接着固定する手段には、図４に示すように、別体で作られたダンパーホルダ１１を使用して行なうこともできる。
【００４３】
このダンパーホルダ１１の一例としては、図４（ａ）に示すように、ゴムや樹脂、金属等で作られた円盤状のホルダ主体１１ａの中心部に形成した透孔（その内径は、適用せんとするダンパーの固定部３１の外径とほぼ等しいものである。）を接着剤溜りｈとした、リングからなるものである。なお、図４（ｂ）は、前記ホルダ主体１１ａを上部プレート６上に安定的に設けるため、上部プレート６の外周に沿ってリング状に突出部６ａを形成したものである。
【００４４】
また、前記ダンパーホルダ１１は、図５（ａ）に示すように、前記ダンパーホルダ１１１と同質の素材を使用し、内径を、適用せんとするダンパーの底面部３２の外径とほぼ等しくした底の浅いカップ状とし、その内径部を接着剤溜りｈとしてもよい。
【００４５】
なお、図５において、（ｂ）に示すダンパーホルダ１１は、前記カップ状のダンパーホルダ１１を、上部プレート６の中央部に安定的に設けるため、また、ダンパーホルダ１１の位置決め用として、上部プレート６の上面中央部に凹状の係合部６ｂを形成したしたもので、（ｃ）に示すダンパーホルダ１１は、ホルダ主体１１ａの裏面中央部に突起部１１ｂを形成し、上部プレート６の上面中央に設けた凹状の係合部６ｂに前記突起部１１ｂを係合保持させ、スピーカの組付け時のセンター位置を決めるようにしたものである。
【００４６】
図６に示すダンパーホルダ１１は、ダンパーホルダのさらに他の形態を示すもので、このダンパーホルダ１１は合成樹脂製であって、前記図５（ｃ）に示した底面部に突起部１１ｂを有する底の浅いカップ状のホルダ主体１１ａの内底面上に、柱状の突起部１１ｃを一体的に形成したものである。なお、前記突起部１１ｃの外径は、適用せんとするダンパー３の固定部３１の底面部３２に形成された透孔の内径と等しいか、やや小径の外径のものである。
【００４７】
このダンパーホルダ１１は、まず、ダンパー３に形成された固定部３１の底面部３２に形成された透孔を、その内底面上に突出形成された突起部１１ｃに嵌合し、ホルダ主体１１ａの内底面とダンパー３の底面部とを密着させた状態で、溶着装置で突起部１１ｃの頭部を溶融し、その頭部が図６（ｂ）の形状になるように加工して、ダンパー３とダンパーホルダ１１とを一体化させる。
【００４８】
一方、上部プレート６の上面のセンター部に接着剤を塗布しておき、前記ダンパー３付きダンパーホルダ１１の底面の突起部１１ｂを、上部プレート６の上面に形成された凹状の係合部６ｃ内に嵌合して両者を接着固定するものである。なお、ダンパーホルダ１１の底面の突起部１１ｂは必ずしも必須の構成要件ではない。
【００４９】
図7に示すダンパーホルダは、さらに別の形態を示すもので、このダンパーホルダ１１は、ホルダ主体１１ａがボルトからなるもので、上部プレート６の中心部には、このボルトからなるホルダ主体１１ａと係合するネジ孔６ｃが形成され、ダンパー３の固定部３１の底面部３２に設けられた透孔にホルダ主体１１ａの軸部を挿通させ、軸部と前記ネジ孔６ｃを係合させることによって、前記固定部３１を上部プレート６上に保持するように構成したものである。その際、ボルトの頭部の外径を、適用せんとするダンパー３の固定部３１の内径に近いものを選択することによって、ダンパー３をより安定して磁気回路５上に固定することができる。
【００５０】
図８に示すダンパーホルダ２１は、円盤状のホルダ主体２１ａと、このホルダ主体２１ａの上面中央部に垂設された所要長さのネジ杆からなる支柱２１ｂと、この支柱２１ｂに外装される円筒状のスペーサ２１ｃおよびナット２１ｄとかなるもので、得ようとするスピーカの大きさに合わせて、所要高さと径のスペーサ２１ｃを選択して支柱２１ｂに外嵌するとともに、支柱２１ｂの先端部をダンパー３の中心部に形成された透孔３３に挿通させたのち、支柱２１ｂの先端部にナット２１ｄを係合させてダンパーホルダ２１とダンパー３とを一体化させる。ついで、前記上部プレート６の上面中央部に形成された接着剤保持部６ｅ内に接着剤を塗布したのち、ホルダ主体２１ａを接着剤保持部６ｅ内に嵌合させ、ダンパー３とダンパーホルダ２１とを磁気回路５のセンター上に固定したものである。
【００５１】
前記構成のダンパーホルダ２１は、図１〜７に示すような、特定の形状を有するダンパー３を使用することがなく、平坦なもの、すなわち、側面が平板状のダンパーが使用できるので、ダンパーの製作が容易であるとともに、使用する金型の作製も容易で、しかもダンパーを磁気回路上に安定して固定することができるものである。
【００５２】
図９（ａ）に示すダンパーホルダ２１は、図８に示すダンパーホルダ２１が上部プレート６に形成された接着剤保持部６ｅ内に嵌合させて使用するものであるのに対し、上部プレート６の中心部に係合用の突起６１を設け、この突起６１にホルダ主体２１ａの底面中央部に形成した係合用の凹部を係合させ、ホルダ主体２１を上部プレート６上に接着固定するよう構成されたものである。
【００５３】
また、図９（ｂ）に示すダンパーホルダ２１は、ホルダ主体２１ａの上面の中心部に設けた支柱２１ｂを、上部プレート６の中心部に設けた貫通孔６２内に底面から挿通させ、上部プレート６の上面に突出した支柱２１ｂに所要高さと径のスペーサ２１ｃを外装し、ダンパー３を装着したのち、支柱にナット２１ｄを係合してダンパー３を上部プレート６上に固定したものである。
【００５４】
図１０に示すダンパーホルダ２１は、ダンパー３の中心部を保持するダンパーホルダ２１として、上部プレート６の中心部に形成された貫通孔６２のネジと係合するネジ杆からなるホルダ主体２１ａの上部に、ダンパー３の受部２１ｅをホルダ主体２１ａと直交させて設けたもので、図１０（ａ）は、前記受部２１ｅにダンパー３の中心部を保持した後、ホルダ主体２１ａの先端部にナット２１ｄを係合させてダンパー３とホルダ主体２１ａとを一体化させたものを示す。また。図１０（ｂ）は、ナットを使用せずに、ダンパー３と受部２１ｅとを接着固定した例を示すもので、いずれの場合も、スペーサを使用することがないので、より構造を簡単にすることができる。
【００５５】
図１１に示すダンパーホルダ２１は、ダンパー３の中心部との確実な接着に必要な面積を確保できる上面を有する柱状体をホルダ主体２１ａとしたもので、このホルダ主体２１は、上部プレート６の上面中心部に突出形成された突起部に、ホルダ主体２１ａの底面中心に設けられた係合用の凹部を嵌合させることによって、位置決め可能としたもので、図１０に示す実施例と同様に、スペーサを使用することがないので、より構造を簡単にすることができる。
【００５６】
図１２に示すダンパーホルダ２１は、所要の径を有する合成樹脂からなる円柱状のホルダ主体２１ａの上端部に、段部ａを介して径の小さな突起部ｂを一体的に形成したものであって、ダンパー３の中心部に形成された透孔３２を前記突起部ｂに挿通してダンパー３とホルダ主体２１とを当接させたのち、突起部ｂを溶融させてダンパー３とホルダ主体２１とを一体化させたもので、スピーカへの取付けに際しては、ホルダ支柱２１ａの底部をポールピースの上面中央部に接着固定するものである。
【００５７】
図１３は、さらに他のダンパーホルダ２１の例を示すもので、所要の径を有する合成樹脂からなる円柱状のホルダ主体２１ａの上端部に、段部ａを介して径の小さな突起部ｂを一体的に形成し、かつ底部に取付け用の台座ｃを一体的に形成し、この台座ｃの裏面に複数の孔もしくは凹部ｄを設けたもので、この凹部ｄに接着剤を入り込ませることで接着強度をより高められる構造としたものである。
【００５８】
この実施例においては、スピーカの振動板がドーム状のもので図示しているが、この発明はドーム型に限るものではなく、多くの形態のスピーカに対応可能である。
【図面の簡単な説明】
【００５９】
【図１】この発明にかかるスピーカの一例を示す断面図である。
【図２】図１に示すスピーカのダンパーを磁気回路に装着する工程を示す説明図である。
【図３】ダンパーホルダが形成された上部プレートの一例を示す断面図であって、(ａ)はダンパーホルダが貫通孔からなる例を、（ｂ）はリング状の突出部からなる例を示す。
【図４】磁気回路とは別体で製作されたダンパーホルダの一例を示す断面図で、(ａ)はリングからなる例を示し、（ｂ）は当該リングを上部プレートに固着する他の例を示す。
【図５】磁気回路とは別体で製作されたダンパーホルダの他の一例を示す断面図で、(ａ)は上部プレートとの固着の一例を、（ｂ）は他の例を、（ｃ）はさらに他の例を示す。
【図６】磁気回路とは別体で製作されたダンパーホルダのさらに他の一例を示す断面図で、（ａ）〜（ｃ）はダンパーの上部プレートへの取付け工程を示す。
【図７】磁気回路とは別体で製作されたダンパーホルダのさらに他の一例を示す断面図である。
【図８】磁気回路とは別体で製作されたダンパーホルダのさらに他の一例を示す断面図である。
【図９】図８に示すダンパーホルダの上部プレートへの取付け例を示す説明図で、（ａ）はホルダ主体を上部プレート上に固着する例を、（ｂ）は上部プレートの底部に固着する例を示す。
【図１０】ダンパーホルダのさらに他の一例を示す断面図で、（ａ）はダンパーの固定にナットを用いた例を、（ｂ）はナットを使用しない例を示す。
【図１１】ダンパーホルダのさらに他の一例を示す断面図である。
【図１２】ダンパーホルダのさらに他の一例と、その取付け工程を示す説明図である。
【図１３】ダンパーホルダのさらに他の一例を示し、(ａ)は正面図、（ｂ）は底面図である。
【図１４】従来のダンパーと磁気回路の関係を示す説明図である。
【図１５】従来のダンパーと磁気回路の関係を示すさらに他の説明図である。
【符号の説明】
【００６０】
１        スピーカ
２        振動板
３        ダンパー
３１      ダンパーの固定部
３２      固定部の底面部
３３      固定部に設けられた透孔
４        ボイスコイル
５        磁気回路
６        ポールピース
７        マグネット
８        ポットヨーク
９        フレーム
１０        ボイスコイルボビン
１１，２１  ダンパーホルダ
H        上部プレートのダンパーホルダ
ｈ        接着剤溜り
【図１】
2006211469.tif 000003
【図２】
2006211469.tif 000004
【図３】
2006211469.tif 000005
【図４】
2006211469.tif 000006
【図５】
2006211469.tif 000007
【図６】
2006211469.tif 000008
【図７】
2006211469.tif 000009
【図８】
2006211469.tif 000010
【図９】
2006211469.tif 000011
【図１０】
2006211469.tif 000012
【図１１】
2006211469.tif 000013
【図１２】
2006211469.tif 000014
【図１３】
2006211469.tif 000015
【図１４】
2006211469.tif 000016
【図１５】
2006211469.tif 000017